(57)【特許請求の範囲】
【請求項１】
空調空気を吹出口（５６）から空調対象空間に吹き出す空気調和装置の室内ユニットであって、
前記吹出口（５６）の近傍に設けられ、前記吹出口（５６）の近傍で結露した水を保持する保水溝（５３）と、
前記吹出口（５６）から吹き出される前記空調空気の風向を変更するフラップ（７１）と、
前記空調対象空間の湿度を検知する湿度検知部（６４）と、
予め設定されている前記フラップ（７１）の動作モードに基づいて前記フラップ（７１）の動作を制御する制御部（６９）と、
を備え、
前記フラップ（７１）の前記動作モードは、
所定期間毎に動作方向を反転させるスイング動作モードと、
前記空調空気の風向を自動的に変更する自動風向変更モードと、
前記制御部（６９）が遠隔操作装置を有する場合に前記遠隔操作装置に入力された操作に従って前記空調空気の風向を変更する非自動風向変更モードと、
を含み、
前記制御部（６９）は、前記フラップ（７１）の３つの前記動作モードのうち、少なくとも前記スイング動作モードにおいて、前記空調対象空間の湿度が所定値以上であるとき、前記フラップ（７１）の前記吹出口（５６）に対する最小開度が、前記空調対象空間の湿度が所定値未満であるときの前記フラップ（７１）の前記吹出口（５６）に対する最小開度よりも大きくなるように動作させる、風向制限制御を行い、
また、前記制御部（６９）は、前記風向制限制御時、前記空調対象空間の湿度が所定値以上であるときの前記フラップ（７１）の前記保水溝（５３）に対する最小距離が、前記空調対象空間の湿度が所定値未満であるときの前記フラップ（７１）の前記保水溝（５３）に対する最小距離よりも大きくなるように動作させ、
さらに前記制御部は、前記空調対象空間の湿度が前記所定値以上から前記所定値未満になったとき、そのときから所定時間経過後に前記風向制限制御を解除する、
空気調和装置の室内ユニット（４）。
【請求項２】
前記保水溝（５３）は、前記空調空気が前記吹出口（５６）から水平に吹き出されるときの吹出方向側に位置する、
請求項１に記載の空気調和装置の室内ユニット（４）。
【請求項３】
前記制御部（６９）は、前記フラップ（７１）の水平方向に対する角度を変更することによって前記フラップ（７１）の姿勢を可動範囲内で複数段階に切り換えることができ、前記風向制限制御時、前記フラップ（７１）の前記可動範囲の上限を制限する、
請求項２に記載の空気調和装置の室内ユニット（４）。
【発明の詳細な説明】
【技術分野】
【０００１】
本発明は、空気調和装置の室内ユニットに関し、特に、空調空気を吹出口から空調対象空間に吹き出す室内ユニットに関する。
【背景技術】
【０００２】
天井埋込型の室内ユニットでは、通常、吹出口にフラップが設けられ、吹出口から吹き出される空調空気の風向を自在に変更することができる。例えば、特許文献１（特開平７−３２４８０２号公報）に開示されている空気調和装置の室内ユニットでは、フラップは、暖房運転時には空調空気がやや下向きに吹き出されるように傾き、冷房運転時には空調空気が水平に吹き出されるように天井面に対してほぼ平行な姿勢となる。
【発明の概要】
【発明が解決しようとする課題】
【０００３】
しかしながら、吹出口近傍のうち空調空気が吹き出される方向に位置する部分は、冷房運転時、或いは除湿運転時、空調空気によって冷却されるので、周囲に浮遊する水分がその部分に凝縮して結露する。それゆえ、その結露水が、空調空気の風圧で飛散する可能性がある。
【０００４】
本発明の課題は、高湿度雰囲気においても結露水が空調空気によって飛散しない空気調和装置の室内ユニットを提供することにある。
【課題を解決するための手段】
【０００５】
本発明の第１観点に係る空気調和装置の室内ユニットは、空調空気を吹出口から空調対象空間に吹き出す空気調和装置の室内ユニットであって、保水溝と、フラップと、湿度検知部と、制御部とを備える。保水溝は、吹出口の近傍に設けられ、吹出口の近傍で結露した水を保持する。フラップは、吹出口から吹き出される空調空気の風向を変更する。湿度検知部は、空調対象空間の湿度を検知する。制御部は、予め設定されているフラップの動作モードに基づいてフラップの動作を制御する。フラップの動作モードは、スイング動作モードと、自動風向変更モードと、非自動風向変更モードとを含んでいる。スイング動作モードは、所定期間毎にフラップの動作方向を反転させる。自動風向変更モードは、空調空気の風向を自動的に変更する。非自動風向変更モードは、制御部が遠隔操作装置を有する場合に遠隔操作装置に入力された操作に従って空調空気の風向を変更する。制御部は、フラップの３つの動作モードのうち、少なくともスイング動作モードにおいて、空調対象空間の湿度が所定値以上であるとき、フラップの吹出口に対する最小開度が、空調対象空間の湿度が所定値未満であるときのフラップの吹出口に対する最小開度よりも大きくなるように動作させる、風向制限制御を行う。また、制御部は、風向制限制御時、空調対象空間の湿度が所定値以上であるときのフラップの保水溝に対する最小距離が、空調対象空間の湿度が所定値未満であるときのフラップの保水溝に対する最小距離よりも大きくなるように動作させる。さらに制御部は、空調対象空間の湿度が所定値以上から所定値未満になったとき、そのときから所定時間経過後に風向制限制御を解除する。
【０００６】
この室内ユニットでは、空調対象空間の湿度が所定値以上になったとき、空調対象空間の水分の一部は吹出口の近傍で結露して保水溝に保持される。保水溝と吹出口とが近接しているので、保水溝の水が空調空気に吹き飛ばされる可能性がある。特に、保水溝の水が液状になっている場合はその可能性がさらに高まる。しかし、本発明では、フラップの保水溝に対する最小距離が、空調対象空間の湿度が所定値未満であるときのフラップの保水溝に対する最小距離よりも大きくなるように、フラップが動作するので、フラップが保水溝から遠ざかった分だけ保水溝に当たる空調空気の風圧が弱まり、保水溝の水の飛散が防止される。
【０００７】
特に、スイング動作モードにおいて、フラップが一定周期で保水溝に近接するので、その分、保水溝の水が空調空気に吹き飛ばされる可能性が高い。それゆえ、風向制限制御によってフラップが保水溝から一定距離以内に近づかないようになれば、フラップのスイング動作モードにおいても、保水溝からの水の飛散は防止される。また、フラップのスイング動作は、空調空気を脈動させて保水溝に保持された水を一箇所に集合させる作用があり、それが水の飛散を助長する可能性が高かった。しかし、風向制限制御によってフラップが保水溝から一定距離以内に近づかないようになれば、保水溝の水が集合し難くなる。
【０００８】
本発明の第２観点に係る空気調和装置の室内ユニットは、第１観点に係る空気調和装置の室内ユニットであって、保水溝が、空調空気が吹出口から水平に吹き出されるときの吹出方向側に位置する。
【０００９】
この室内ユニットでは、吹出口近傍の結露は、空調空気に冷却された吹出口近傍に空調対象空間に浮遊する水分が凝縮することによって起こるので、吹出口近傍のなかでも空調空気が吹出口から水平に吹き出されるときの吹出方向側に位置する部分が最も結露し易い。それゆえ、保水溝が、空調空気が吹出口から水平に吹き出されるときの吹出方向側に位置することによって結露水を確実に保持するので、空調空気による水の飛散が未然に防止される。
【００１０】
本発明の第３観点に係る空気調和装置の室内ユニットは、第２観点に係る空気調和装置の室内ユニットであって、制御部が、フラップの水平方向に対する角度を変更するによってフラップの姿勢を可動範囲内で複数段階に切り換えることができる。また、制御部は、風向制限制御時、フラップの可動範囲の上限を制限する。
【００１１】
この室内ユニットでは、保水溝は、空調空気が吹出口から水平に吹き出されるときの吹出方向側に位置するので、保水溝に保持された水が最も飛散し易いのは、フラップが空調空気の吹出方向を最も水平に近くする姿勢となるときである。それゆえ、風向制限制御時、フラップの可動範囲の上限を制限することによって、フラップが空調空気の吹出方向を最も水平に近くする姿勢にならないので、保水溝からの水の飛散が防止される。
【発明の効果】
【００１２】
本発明の第１観点に係る空気調和装置の室内ユニットでは、フラップの保水溝に対する最小距離が、空調対象空間の湿度が所定値未満であるときのフラップの保水溝に対する最小距離よりも大きくなるように、フラップが動作するので、フラップが保水溝から遠ざかった分だけ保水溝に当たる空調空気の風圧が弱まり、保水溝の水の飛散が防止される。
【００１３】
また、風向制限制御によってフラップが保水溝から一定距離以内に近づかないようになれば、フラップのスイング動作モードにおいても、保水溝からの水の飛散は防止される。
【００１４】
本発明の第２観点に係る空気調和装置の室内ユニットでは、保水溝が、空調空気が吹出口から水平に吹き出されるときの吹出方向側に位置することによって結露水を確実に保持するので、空調空気による水の飛散が未然に防止される。
【００１５】
本発明の第３観点に係る空気調和装置の室内ユニットでは、風向制限制御時、フラップの可動範囲の上限を制限することによって、保水溝からの水の飛散が防止される。
【図面の簡単な説明】
【００１６】
【図１】本発明の一実施形態に係る室内ユニットが採用される空気調和装置の構成図。
【図２】室内ユニットの斜視図。
【図３Ａ】フラップが吹出口を閉じているときの室内ユニットの部分断面図。
【図３Ｂ】フラップが空調空気の吹出方向を最も水平に近くする姿勢になったときの室内ユニットの部分断面図。
【図３Ｃ】フラップが図３Ｂに示す姿勢より１〜３段階下方に傾いた姿勢になったときの室内ユニットの部分断面図。
【図３Ｄ】フラップが空調空気の吹出方向を最も下向きにする姿勢になったときの室内ユニットの部分断面図。
【図４】風向制限制御のフロー。
【発明を実施するための形態】
【００１７】
以下図面を参照しながら、本発明の実施形態について説明する。なお、以下の実施形態は、本発明の具体例であって、本発明の技術的範囲を限定するものではない。
【００１８】
（１）空気調和装置の構成
図１は、本発明の一実施形態に係る室内ユニットが使用される空気調和装置の構成図である。空気調和装置１は、室外ユニット２、室内ユニット４、液冷媒連絡管５、及びガス冷媒連絡管６を有している。室外ユニット２及び室内ユニット４が、液冷媒連絡管５及びガス冷媒連絡管６によって接続され、蒸気圧縮式の冷媒回路１０が構成されている。なお、室内ユニット４は、天井埋込型の室内ユニットである。
【００１９】
（２）室外ユニット２
室外ユニット２は、主に室外に設置され、圧縮機２１、四路切換弁２２、室外熱交換器２３、膨張弁２４、液側閉鎖弁２５、及びガス側閉鎖弁２６を有している。圧縮機２１は、低圧のガス冷媒を吸入し、圧縮して高圧のガス冷媒とした後に吐出する。
【００２０】
四路切換弁２２は、冷房運転と暖房運転との切換時に、冷媒の流れの方向を切り換える弁である。四路切換弁２２は、冷房運転時、圧縮機２１の吐出側と室外熱交換器２３のガス側とを接続するとともにガス側閉鎖弁２６と圧縮機２１の吸入側とを接続する（図１における四路切換弁２２の実線を参照）。
【００２１】
また、四路切換弁２２は、暖房運転時、圧縮機２１の吐出側とガス側閉鎖弁２６とを接続するとともに室外熱交換器２３のガス側と圧縮機２１の吸入側とを接続する（図１における四路切換弁２２の破線を参照）。
【００２２】
室外熱交換器２３は、冷房運転時には冷媒の放熱器として機能し、暖房運転時には冷媒の蒸発器として機能する熱交換器である。室外熱交換器２３は、その液側が膨張弁２４に接続されており、ガス側が四路切換弁２２に接続されている。
【００２３】
膨張弁２４は、冷房運転時には室外熱交換器２３において放熱した高圧の液冷媒を蒸発器に送る前に減圧し、暖房運転時には凝縮器において放熱した高圧の液冷媒を室外熱交換器２３に送る前に減圧する。
【００２４】
液側閉鎖弁２５及びガス側閉鎖弁２６は、液冷媒連絡管５及びガス冷媒連絡管６との接続口に設けられた弁である。液側閉鎖弁２５は、膨張弁２４に接続されている。ガス側閉鎖弁２６は、四路切換弁２２に接続されている。
【００２５】
また、室外ユニット２には、室外制御部３９が設けられている。室外制御部３９は、マイコンとメモリとを有しており、室外ユニット２を構成する各機器の動作を制御する。さらに、室外制御部３９は、室外ユニット２の制御を行うため、室内ユニット４側との間で制御信号の交信を行うことができる。
【００２６】
（３）室内ユニット４の構成
室内ユニット４は、室内熱交換器４２を有している。室内熱交換器４２は、フィン＆チューブ型熱交換器であって、冷房運転時には、冷媒の蒸発器として機能することによって空気を冷却し、暖房運転時には、冷媒の放熱器として機能することによって空気を加熱する。なお、室内熱交換器４２は、液冷媒連絡管５およびガス冷媒連絡管６に接続されている。
【００２７】
図２は、室内ユニットの斜視図である。図２において、室内ユニット４は、ケーシング５１と下面パネル５２とで構成されている。ケーシング５１は、平面視が長辺と短辺とが交互に形成された略８角形状の箱状体であり、内部に室内熱交換器４２や風量制御可能な室内ファン（図示せず）などの機器を収納し、空調対象空間の天井に形成された開口に挿入される。
【００２８】
（３−１）下面パネル５２の細部構造
下面パネル５２は、平面視が略４角形状の板状体であり、ケーシング５１が挿入された天井の開口に嵌め込まれる。また、下面パネル５２は、略中央に空気を吸入する吸入口５５と、吸入口５５の周囲を囲むように形成された４つの吹出口５６とを有している。
【００２９】
（３−１−１）吸入口５５
吸入口５５は、略４角形状の開口である。吸入口５５には、吸入グリル５７と、吸入口５５から吸入される空気中の塵埃を除去するためのフィルタ（図示せず）とが設けられている。また、湿度センサ６４が、吸入口５５（吸入グリル５７とフィルタとの間）に配置され、空調対象空間の湿度を検知する。
【００３０】
（３−１−２）吹出口５６
吹出口５６は、下面パネル５２の４角形の各辺に沿うように形成されている。４つの吹出口５６それぞれには、フラップ７１が設けられている。
【００３１】
（３−１−３）フラップ７１
フラップ７１は、吹出口５６の長手方向に沿って細長く延びる板状の部材であって、その長手方向の両端部は、長手方向の軸周りに回動可能になるように下面パネル５２に支持されている。また、フラップ７１は姿勢を変更することによって、空調空気の吹出方向を変更することができる。
【００３２】
（３−１−４）保水溝５３
また、下面パネル５２には、環状の保水溝５３が４つの吹出口５６を囲むように形成されている。なお、図２では、保水溝５３の形状が理解し難いので、以下、図３Ａを用いて説明する。図３Ａは、フラップが吹出口を閉じているときの室内ユニットの部分断面図である。
【００３３】
図３Ａにおいて、吹出口５６のエッジのうち、空調空気が水平に吹き出されるときの吹出方向側のエッジと隣接する位置に、複数の保水溝５３が形成されている。冷房運転時、或は除湿運転時、吹出口５６の周囲は空調空気によって冷却されるので、空調対象空間に浮遊する水分が凝縮して結露する。特に、空調空気が水平に吹き出されるとき、吹出口５６の吹出方向側のエッジ部分が最も結露し易い。それゆえ、その近傍に保水溝５３が形成されることによって、結露水が保水溝５３によって確実に保持される。
【００３４】
（３−２）室内制御部６９
室内ユニット４には、さらに室内制御部６９が設けられている（図１参照）。室内制御部６９は、マイコンとメモリとを搭載しており、さらには、リモートコントローラ９９及び湿度センサ６４（図２参照）などの各種センサが接続され、室内ユニット４を構成する各機器の動作を制御する。また、室内制御部６９は、室内ユニット４の制御を行うために室外ユニット２の室外制御部３９との間で制御信号の交信を行うことができる。
【００３５】
さらに、室内制御部６９は、空調対象空間の負荷状態に応じて、或は、リモートコントローラ９９からの要求に応じて、フラップ７１の姿勢を変更することができる。
【００３６】
（４）フラップ７１の動作制御
（４−１）フラップ７１の姿勢
図３Ｂは、フラップが空調空気の吹出方向を最も水平に近くする姿勢になったときの室内ユニットの部分断面図である。また、図３Ｃは、フラップが図３Ｂに示す姿勢より１〜３段階下方に傾いた姿勢になったときの室内ユニットの部分断面図である。さらに、図３Ｄは、フラップが空調空気の吹出方向を最も下向きにする姿勢になったときの室内ユニットの部分断面図である。
【００３７】
図３Ｂにおいて、フラップ７１が吹出口５６を閉じている位置から回動軸７１ａを中心にして吹出口５６を開く方向に第１所定角度だけ回動して停止したときの姿勢を、「姿勢Ｐ０」と呼ぶ。フラップ７１の姿勢Ｐ０は水平姿勢ではないが、フラップ７１が湾曲した板状部材であるので、空調空気はフラップ７１の湾曲面に沿って流れ、フラップ７１から離れるときには略水平方向へ偏向される。
【００３８】
図３Ｃにおいて、フラップ７１が姿勢Ｐ０となる位置からさらに吹出口５６を開く方向に第２所定角度だけ回動して停止したときの姿勢を、「姿勢Ｐ１」と呼ぶ。フラップ７１が姿勢Ｐ１になっているとき、空調空気が吹き出される方向は水平方向ではない。なお、フラップ７１が姿勢Ｐ１となる位置からさらに吹出口５６を開く方向に第３所定角度だけ回動して停止したときの姿勢を「姿勢Ｐ２」と呼び、フラップ７１が姿勢Ｐ２となる位置からさらに吹出口５６を開く方向に第４所定角度だけ回動して停止したときの姿勢を「姿勢Ｐ３」と呼び、いずれも図３Ｃ中に２点鎖線で示されている。
【００３９】
図３Ｄにおいて、フラップ７１が姿勢Ｐ３となった位置からさらに吹出口５６を開く方向に第５所定角度だけ回動して停止したときの姿勢を、「姿勢Ｐ４」と呼ぶ。フラップ７１が姿勢Ｐ４のとき吹出口５６は全開であり、空調空気の吹出方向は最も下向きとなる。上記の通り、フラップ７１は、図３Ｂに示す「姿勢Ｐ０」〜図３Ｄに示す「姿勢Ｐ４」までの間で複数段階に変更可能である。
【００４０】
（４−２）フラップの動作モード
室内制御部６９は、フラップ７１の姿勢制御を使って複数種の動作モードを実行することができる。各動作モードを実行するためのプログラムは、予め室内制御部６９のメモリに記憶されている。複数種の動作モードには、スイング動作モード、自動風向変更モード、及び非自動風向変更モードが含まれている。
【００４１】
スイング動作モードは、フラップ７１が繰り返し上下に回動して姿勢Ｐ０と姿勢Ｐ４とを交互に繰り返すモードであり、所定周期でフラップ７１の動作方向が反転する。
【００４２】
自動風向変更モードは、空調対象空間の空調負荷状態に応じて姿勢Ｐ０〜Ｐ４のいずれか１つの姿勢へ切り換えて、空調空気の風向を変更するモードである。
【００４３】
非自動風向変更モードは、リモートコントローラ９９に入力された操作に従って姿勢Ｐ０〜Ｐ４のいずれか１つの姿勢へ切り換えて、空調空気の風向を変更するモードである。
【００４４】
（４−３）フラップ７１の風向制限制御
図３Ｂ〜図３Ｄに示すように、保水溝５３と吹出口５６とは近接しているので、空調空気が水平方向に吹き出されたとき、保水溝５３に保持されている水が空調空気に吹き飛ばされる可能性がある。特に、空調対象空間の湿度が７０％以上といった高湿度雰囲気では、保水溝５３の水が液状になっている可能性が高いので、水が飛散する可能性がさらに高まる。
【００４５】
そこで、この室内ユニット４では、空調対象空間の湿度が所定値以上になったとき、フラップ７１の吹出口５６に対する最小開度が、空調対象空間の湿度が所定値未満であるときのフラップ７１の吹出口５６に対する最小開度よりも大きくなるように、フラップ７１が動作する。
【００４６】
言い換えると、湿度センサ６４で検知した湿度が所定値以上になったとき、フラップ７１の保水溝５３に対する最小距離が、湿度が所定値未満であるときのフラップ７１の保水溝５３に対する最小距離よりも大きくなるように、風向制限する「風向制限制御」を行っている。所定値は、７０％以上の範囲から選択された数値に設定されている。
【００４７】
なお、フラップ７１の吹出口５６に対する最小開度の定義は、フラップ７１の保水溝５３に対する最小距離に限定されるものではない。例えば、保水溝５３が無いタイプでは、フラップ７１の吹出口５６に対する最小開度とは、吹出口５６の空調空気が吹き出される側のエッジに対する最小距離と定義することができる。さらには、フラップ７１の吹出口５６に対する最小開度とは、フラップ７１が吹出口５６を開けるために回動する際の最小回動角度と定義することができる。
【００４８】
例えば、フラップ７１がスイング動作モードで動作している場合、湿度が所定値未満のとき、室内制御部６９は、フラップ７１が姿勢Ｐ０と姿勢Ｐ４とを交互に繰り返すように制御する。しかし、湿度が所定値以上のときは、室内制御部６９は、フラップ７１が姿勢Ｐ１と姿勢Ｐ４とを交互に繰り返すように制御する。以下、図４を用いて風向制限制御について説明する。
【００４９】
図４は、風向制限制御のフローである。ステップＳ１において、室内制御部６９は、フラップ７１の動作モードがスイング動作モードであるか否かを判定する。室内制御部６９は、フラップ７１の動作モードをスイング動作モードと判定したときはステップＳ２へ進み、スイング動作モードでないと判定したときは、引き続きフラップ７１の動作モードを監視する。
【００５０】
ステップＳ２において、室内制御部６９は、空気調和装置１の運転モードが冷房運転または除湿運転のいずれかであるか否かを判定する。室内制御部６９は、運転モードが冷房運転または除湿運転のいずれかであると判定したときはステップＳ３へ進み、運転モードが冷房運転または除湿運転のいずれでもないと判定したときは、引き続き運転モードの監視を行う。
【００５１】
ステップＳ３において、室内制御部６９は、空気調和装置がサーモオン状態であるか否かを判定する。室内制御部６９は、サーモオン状態であると判定したときはステップＳ４へ進み、サーモオン状態ではないと判定したときは、引き続きサーモオン状態であるか否かを監視する。
【００５２】
ステップＳ４において、室内制御部６９は、湿度センサ６４が正常であるか否かを判定し、正常であると判定したときはステップＳ５へ進み、異常であると判定したときはステップＳ４１へ進み制御を解除する。
【００５３】
ステップＳ５において、室内制御部６９は、湿度が所定値以上であるか否かを判定する。室内制御部６９は、湿度が所定値以上と判定したときはステップＳ６へ進み、フラップ７１のスイング範囲を姿勢Ｐ１〜Ｐ４へ設定する。また、室内制御部６９は、湿度が所定値未満と判定したときはステップＳ７へ進み、フラップ７１のスイング範囲を姿勢Ｐ０〜Ｐ４へ設定する。
【００５４】
以上のように、湿度が所定値以上のとき、フラップ７１は風向制限制御によって姿勢Ｐ０にはならない。フラップ７１の姿勢Ｐ０は、吹出口５６を閉じている状態を除けば、最も保水溝５３に近接し、且つ、空調空気の吹出方向を最も水平に近くする姿勢であるので、フラップ７１は、姿勢Ｐ０にならないことによって保水溝５３から一定距離以内に近づかないようになる。その結果、空調空気が保水溝５３に当たらないようになり、保水溝５３からの水の飛散が防止される。
【００５５】
また、フラップ７１のスイング動作は、空調空気を脈動させて保水溝５３に保持された水を一箇所に集合させる作用があり、それが水の飛散を助長する可能性が高かった。しかし、風向制限制御によってフラップ７１が保水溝５３から一定距離以内に近づかないようになるので、保水溝５３の水は集合し難くなる。
【００５６】
（特徴）
（１）
室内ユニット４では、室内制御部６９は、湿度センサ６４が検知する湿度が所定値以上であるとき、風向制限制御を実行する。風向制限制御は、フラップ７１の保水溝５３に対する最小距離が、湿度が所定値未満であるときのフラップ７１の保水溝５３に対する最小距離よりも大きくなるように動作させる制御である。
【００５７】
具体的には、室内制御部６９は、湿度が所定値以上であるとき、フラップ７１の可動範囲の上限を制限することによって、フラップ７１の姿勢Ｐ０〜Ｐ４の５段階姿勢のうち、空調空気の吹出方向を最も水平に近くする「姿勢Ｐ０」へ切り換えない。保水溝５３に保持されている水が最も飛散し易いのは「姿勢Ｐ０」となるときであるので、風向制限制御によって、保水溝５３からの水の飛散が防止される。
【００５８】
（２）
室内制御部６９は、スイング動作モードにおいて風向制限制御を行う。フラップ７１のスイング動作は、空調空気を脈動させて保水溝５３に保持された水を一箇所に集合させる作用があり、それが水の飛散を助長する可能性が高い。しかし、風向制限制御によってフラップ７１が保水溝から一定距離以内に近づかないようになるので、保水溝５３の水が集合し難くなる。
【００５９】
（３）
保水溝５３は、空調空気が吹出口５６から水平に吹き出されるときの吹出方向側に位置するので、結露水を確実に保持する。その結果、空調空気による水の飛散が未然に防止される。
【００６０】
（変形例１）
上記実施形態では、フラップ７１の動作モードがスイング動作モードのとき、湿度が所定値以上で風向制限制御が実行されているが、自動風向変更モード、或は非自動風向変更モードのときに実行されてもよい。
【００６１】
例えば、フラップ７１の動作モードが自動風向変更モードのとき、室内制御部６９は、フラップ７１の姿勢を「姿勢Ｐ０」とするべき条件が揃っていても、湿度が所定値以上ならば「姿勢Ｐ１」を選択する。
【００６２】
また、フラップ７１の動作モードが非自動風向変更モードのとき、ユーザーがリモートコントローラ９９によってフラップ７１の「姿勢Ｐ０」を選択しても、湿度が所定値以上ならば「姿勢Ｐ０」にはならず、「姿勢Ｐ１」となる。
【００６３】
つまり、室内制御部６９は、湿度が所定値以上では、フラップ７１の可動範囲の上限を制限するので、空調空気が保水溝５３に当たらず、保水溝５３に保持されている水の飛散は防止される。
【００６４】
（変形例２）
上記実施形態では、保水溝５３が吹出口５６近傍の結露水を保持するタイプの室内ユニット４において風向制限制御が行われているが、それに限定されるものではない。例えば、変形例２に係る室内ユニット４が、保水溝５３を形成する代わりに不織布が配置されるタイプの室内ユニットであっても、風向制限制御が行われることによって、上記実施形態と同様の効果が得られる。
【００６５】
（変形例３）
湿度が所定値以上から湿度が所定値未満になったとき、保水溝５３の結露水がすぐさま消滅するものではないと推定される。そこで、変形例３に係る室内ユニット４では、湿度が所定値以上から所定値未満になった場合、直ぐに風向制限制御が解除されるのではなく、所定時間が経過した後に解除され、フラップ７１のスイングの範囲が「姿勢Ｐ１〜姿勢Ｐ４」から「姿勢Ｐ０〜姿勢Ｐ４」に設定される。
【００６６】
これによって、空調空気によって飛散するような水が保水溝５３に残った状態のまま、湿度が所定値以上から湿度が所定値未満になった場合でも、所定時間が経過して保水溝５３に保持されている水が空調空気によって飛散しない程度にまで減少してから、フラップ７１のスイングの範囲が「姿勢Ｐ１〜姿勢Ｐ４」から「姿勢Ｐ０〜姿勢Ｐ４」に設定される。その結果、水の飛散が防止される。
【産業上の利用可能性】
【００６７】
以上のように、本発明によれば、吹出口近傍の結露水が吹出空気によって吹き飛ばされるような現象が起こり難くなるので、空気の吹出口近傍が結露し易い機器に有用である。
【符号の説明】
【００６８】
４  室内ユニット
５３  保水溝
５６  吹出口
６４  湿度センサ（湿度検知部）
６９  室内制御部
７１  フラップ
【先行技術文献】
【特許文献】
【００６９】
【特許文献１】特開平７−３２４８０２号公報
【図１】
0005589538.tif 000002
【図２】
0005589538.tif 000003
【図３Ａ】
0005589538.tif 000004
【図３Ｂ】
0005589538.tif 000005
【図３Ｃ】
0005589538.tif 000006
【図３Ｄ】
0005589538.tif 000007
【図４】
0005589538.tif 000008